(57)【要約】【課題】建物開口部の外側に設置する目隠しパネルを、該建物開口部のサッシを利用し、簡易な取付用金具により、室内側から位置調整可能に固定する固定機構を提供する。【解決手段】目隠しパネル１の取付用金具４を、建物開口部２のサッシ３の左右の側枠３１の各上下部において該側枠の内向き縁３１ａを挟み部４１ａで弾性的に挟持することにより固定される挟持部片４１と、該挟持部片に固定されて、建物開口部から外側に向かって突出すると共に、上記サッシにおける上下枠３２，３３の上下外側に向けて延び、先端に目隠しパネルの横枠１２に対する固定部４４を設けた固定板４２とにより構成する。この固定部４４と目隠しパネルの横枠１２とを、ボルト・ナットで横枠１２の長手方向に位置調整可能に固定する。【選択図】図３
2009114654.tif 000002
【特許請求の範囲】
【請求項１】
建物開口部の外側に目隠しパネルを固定するための固定機構であって、
目隠しパネルの取付用金具が、上記建物開口部のサッシにおける左右の側枠の各上下部において該側枠の内向き縁を挟み部で弾性的に挟持することにより固定される挟持部片と、上記挟持部片に固定されて、建物開口部から外側に向かって突出すると共に、上記サッシにおける上下枠の上下外側に向けて延び、先端に目隠しパネルの横枠に対する固定部を設けた固定板とを備え、
この固定板の固定部と目隠しパネルの横枠との間に、それらを横枠の長手方向に位置調整可能に固定する固定手段を備えている、
ことを特徴とする目隠しパネルの固定機構。
【請求項２】
上記挟持部片におけるサッシの内向き縁を弾性的に挟持する挟み部が、その挟持部片を構成するバネ性のある１枚の金属部片の側縁を折り返すことにより形成されている、
ことを特徴とする請求項１に記載の目隠しパネルの固定機構。
【請求項３】
上記固定板の固定部と目隠しパネルの横枠とを固定する固定手段が、
目隠しパネルの横枠の取付面に、その長手方向に沿って設けられ、ボルトの頭部またはナットを嵌入係止する係止溝と、上記横枠の係止溝を覆うように形成された上記固定板の先端の固定部におけるボルトの挿通孔とを、それらに挿通したボルト・ナットで連結する構成を備える、
ことを特徴とする請求項１または２に記載の目隠しパネルの固定機構。
【発明の詳細な説明】
【技術分野】
【０００１】
本発明は、窓等の建物開口部の外側に位置する目隠しパネルを、該建物開口部におけるサッシを利用して、建物外壁に位置調整可能に固定するための固定機構に関するものである。
【背景技術】
【０００２】
窓等の建物開口部のための目隠しパネルを建物外壁に固定する場合、その目隠しパネルは、採光や通風の確保などのために建物開口部からある程度の距離を置いて建物外壁に取付金具のネジ止めなどで設置されるが、該目隠しパネルが建物開口部とほぼ同大である場合に、建物外壁との間に距離があると、目隠しパネル周辺を通じて屋外から室内を視認できる隙間が生じるため、該目隠しパネルは建物開口部の大きさよりもその隙間をなくす分だけ大きく形成したり、その取付位置を考慮する必要がある。そのため、建物開口部が存在する周囲の環境や該建物開口部に対する目隠しパネルの設置態様に応じて、該目隠しパネルの縦横の幅や取付位置を適切に設定可能することが要求される。
【０００３】
また、上記建物開口部は高所に存在することが多く、そのため、建物の外壁側から取り付ける構造では、高所での取付作業が必要になり、簡易に取り付けることが困難になる。一方、低所にある建物開口部に外壁側から目隠しパネルを取り付ける場合には、取付作業自体は簡単になるが、その取付ネジのネジ頭が外部に現れるので、侵入者らによって容易にそれを取り外される可能性もある。そのため、いずれにしても、目隠しパネルの取り付けは室内側から行えることが望まれる。
【発明の開示】
【発明が解決しようとする課題】
【０００４】
本発明の技術的課題は、窓等の建物開口部の外側に設置する目隠しパネルを、該建物開口部におけるサッシを利用して、簡易な取付用金具により、建物外壁に室内側から位置調整可能に固定するための固定機構を提供することにある。
【課題を解決するための手段】
【０００５】
上記課題を解決するための本発明の目隠しパネルの固定機構は、建物開口部の外側に目隠しパネルを固定するための固定機構であって、目隠しパネルの取付用金具が、上記建物開口部のサッシにおける左右の側枠の各上下部において該側枠の内向き縁を挟み部で弾性的に挟持することにより固定される挟持部片と、上記挟持部片に固定されて、建物開口部から外側に向かって突出すると共に、上記サッシにおける上下枠の上下外側に向けて延び、先端に目隠しパネルの横枠に対する固定部を設けた固定板とを備え、この固定板の固定部と目隠しパネルの横枠との間に、それらを横枠の長手方向に位置調整可能に固定する固定手段を備えていることを特徴とするものである。
【０００６】
本発明に係る目隠しパネルの固定機構の好ましい実施形態においては、簡易な取付用金具による目隠しパネルの取り付けのために、上記挟持部片におけるサッシの内向き縁を弾性的に挟持する挟み部が、その挟持部片を構成するバネ性のある１枚の金属部片の側縁を折り返すことにより形成されていて、該挟み部をサッシの内向き縁に嵌め合わせるだけでよく、また、目隠しパネルの横方向の取付位置の調整のために、上記固定板の固定部と目隠しパネルの横枠とを固定する固定手段が、目隠しパネルの横枠の取付面に、その長手方向に沿って設けられ、ボルトの頭部またはナットを嵌入係止する係止溝と、上記横枠の係止溝を覆うように形成された上記固定板の先端の固定部におけるボルトの挿通孔とを、それらに挿通したボルト・ナットで連結するものとして構成される。
【０００７】
上記構成を有する本発明の固定機構により建物開口部の外側に目隠しパネルを固定するに際しては、まず、その建物開口部のサッシにおける左右の側枠の各上下部に、目隠しパネルの上下方向の取付位置を考慮して、該側枠の内向き縁を挟み部で弾性的に挟持するように挟持部片を圧入し、あるいは叩き込み、次いで、この挟持部片に固定されている固定板の先端の固定部におけるボルトの挿通孔と、目隠しパネルの横枠の取付面に設けられている係止溝を合わせた状態で、目隠しパネルの横方向位置が適切になるように位置決めし、そのうえで、固定板の先端の固定部におけるボルトの挿通孔と横枠の係止溝とに挿通したボルト・ナットで、固定板に目隠しパネルを連結すればよい。これらの作業は、全て室内側から容易に実施できるものである。
【発明の効果】
【０００８】
以上に詳述した本発明の目隠しパネルの固定機構によれば、窓等の建物開口部の外側に設置する目隠しパネルを、該建物開口部におけるサッシを利用して、簡易な取付用金具により、建物外壁に室内側から位置調整可能に固定することができる。
【発明を実施するための最良の形態】
【０００９】
図面は、本発明に係る目隠しパネルの固定機構の実施の一例を示している。この目隠しパネル１の固定機構は、窓等の建物開口部２の外側に、該建物開口部におけるサッシ３を利用して取付用金具４により建物外壁に室内側から位置調整可能に固定できるようにしたものである。図面に例示している目隠しパネル１は、左右の縦枠１１及び上下の横枠１２を四隅で連結すると共に、上下の横枠１２の中間に中間枠１３を連結し、それらによって形成される方形の枠内に、合成樹脂製の透光性ある多数の目隠し板１４を並設固定したもので、各目隠し板１４の間には、通気間隙１５を設けている。なお、上記目隠しパネル１自体は、上下の横枠１２に後述の係止溝１２ａを設ける点を除いて、任意構成とすることができる。
【００１０】
上記建物開口部２においては、その開口部枠２１にサッシ３を取り付けているが、このサッシ３としては、周知の任意形態のものを用いることができ、図示の例では、左右の側枠３１と上枠３２及び下枠３３を隅部で相互に連結し、開閉自在の戸障子３４をはめたものを示している。
なお、このサッシ３における側枠３１には、目隠しパネル１の取付用金具４を固定するための内向き縁３１ａが必要であるが、これは周知のサッシにおいて極めて一般的に設けられているものである。
【００１１】
この目隠しパネルの固定機構においては、建物開口部２に上記目隠しパネル１を固定するために、該建物開口部２のサッシ３における左右の側枠３１の上記内向き縁３１ａを該目隠しパネル１の取付用金具４の取り付けに利用するようにしている。
即ち、上記目隠しパネル１の取付用金具４は、図３に明瞭に示すように、上記サッシ３における左右の側枠３１の各上下部において該側枠の内向き縁３１ａを挟み部４１ａで挟持することにより該サッシ３に固定される挟持部片４１と、それにネジ４３で固定されている固定板４２とを備えている。上記挟持部片４１と固定板４２との固定は、上記ネジ４３に限るものではない。なお、サッシ３の側枠３１の上下に取り付ける取付用金具４及び上下部において左右の側枠３１に取り付ける取付用金具４は、互いに対称形をなすものとして構成されている。
【００１２】
上記挟持部片４１は、バネ性のある１枚の金属部片の側縁を折り返すことにより、サッシ３の側枠３１の内向き縁３１ａを弾性的に挟持する挟み部４１ａが形成されたものであり、この挟持部片４１の挟み部４１ａを上記側枠３１の内向き縁３１ａに圧入により外嵌させ、あるいは、該内向き縁３１ａを挟むように叩き込むことにより、該内向き縁３１ａを弾性的に挟持して固定されるようにしている。
従って、上記側枠３１の内向き縁３１ａに対する挟持部片４１の固定は、極めて簡易に行うことができ、しかも、側枠３１の内向き縁３１ａの厚さに多少の変動があっても、その厚さとは無関係に上記挟み部４１ａで挟持固定することができる。また、上記サッシ３の左右の側枠３１の各上下部に、目隠しパネル１の上下方向の取付位置を考慮して固定するだけで、目隠しパネルの上下方向の取付位置を調整することができる。
【００１３】
一方、上記挟持部片４１にネジ４３で固定されている固定板４２は、建物開口部２から外側に向かって突出すると共に、図１から分かるように、上記サッシ３における上下枠３２，３３の上下外側に向けて延び、先端を目隠しパネル１の横枠１２の取付面１６に対面する方向に折り曲げて固定部４４としたものである。この固定板４２は、上記挟持部片４１のようにバネ性を必要とするものではなく、そのため、上記挟持部片４１よりも厚い強度のある金属板の折曲により構成されている。
【００１４】
この固定板４２は、図１に示すように、サッシ３における上枠３２の上方まで延び、また、下枠３３の下方まで延びる長さを有するものとして、その先端に目隠しパネル１の横枠１２の取付面１６に対面する固定部４４を形成しているので、上記挟持部片４１をサッシ３における左右の側枠３１の各最上部及び最下部に固定して、上記固定部４４を上枠３２の上方及び下枠３３の下方まで延出させることにより、建物開口部２の上下幅よりも十分に大きい目隠しパネル１を取り付けることができる。また、サッシ３の側枠３１に対する上記挟持部片４１の取付位置を上記最上部または最下部から内側にずらすことにより、任意大きさの目隠しパネル１の取り付けも行うことができる。
【００１５】
上記固定板４２の固定部４４と目隠しパネル１の横枠１２との間の固定手段としては、目隠しパネル１の横枠１２における建物開口部２側の取付面１６に設けた係止溝１２ａと、該係止溝１２ａを覆うように対面させる上記固定板４２の先端の固定部４４におけるボルト挿通孔４４ａとを合わせ、それらにボルト４５を挿通し、該ボルト４５にナット４６を螺着するものとして構成している。上記係止溝１２ａは、横枠１２の長手方向に沿って設けられていて、固定用のボルト４５の頭部４５ａを嵌入係止できるものであり、その係止溝１２ａに頭部を嵌入したボルトを、上記固定板４２の先端の固定部４４におけるボルト挿通孔４４ａに挿通し、上記固定部４４上で該ボルト４５にナット４６を螺着している。なお、上記実施例の係止溝１２ａは、その内部にボルト４５の頭部４５ａを挿通して狭搾された口部から該ボルト４５を突出させるものとして構成しているが、該係止溝１２ａ内にナットを嵌入し、固定板４２の固定部４４外からボルトを螺挿するようにしても良い。
【００１６】
このような固定手段を採用すると、目隠しパネル１の横枠１２の上記固定板４２に対する固定位置を、該横枠１２の長手方向の任意位置に設定することができ、つまり、建物開口部２に対する目隠しパネル１の横方向の固定位置を任意に調整することができ、また、目隠しパネル１の横方向長さを自由に設定することができる。
【００１７】
上記構成を有する固定機構により建物開口部２の外側に目隠しパネル１を固定するに際しては、まず、その建物開口部２のサッシ３における左右の側枠３１の各上下部に、目隠しパネル１の上下方向の取付位置を考慮して、該側枠３１の内向き縁３１ａを挟持部片４１の挟み部４１ａで弾性的に挟持するように該挟持部片４１を圧入し、あるいいは叩き込み、次いで、この挟持部片４１に固定されている固定板４２の先端の固定部４４におけるボルト４５の挿通孔４４ａと、目隠しパネル１の横枠１２の取付面１６に設けられている係止溝１２ａを合わせた状態で、目隠しパネル１の横方向位置が適切になるように位置決めし、そのうえで、固定板４２の先端の固定部４４におけるボルト４５の挿通孔４４ａと横枠１２の係止溝１２ａとに挿通したボルト・ナットで、固定板４２に目隠しパネル１を連結すればよい。これらの作業は、全て室内側から容易に実施できるものである。
【００１８】
以上に詳述したように、上記目隠しパネルの固定機構によれば、窓等の建物開口部２の外側に設置する目隠しパネル１を、該建物開口部２におけるサッシ３を利用して、簡易な取付用金具４により、建物外壁に室内側から位置調整可能に固定することができる。
【図面の簡単な説明】
【００１９】
【図１】本発明に係る目隠しパネルの固定機構の実施例を示す縦断面図である。
【図２】上記実施例の水平断面図である。
【図３】上記実施例の要部斜視図である。
【符号の説明】
【００２０】
１    目隠しパネル
２    建物開口部
３    サッシ
４    取付用金具
１２    横枠
１２ａ  係止溝
１６    取付面
３１    側枠
３１ａ  内向き縁
３２    上枠
３３    下枠
４１    挟持部片
４１ａ  挟み部
４２    固定板
４４    固定部
４４ａ  挿通孔
４５    ボルト
４６    ナット
【図１】
2009114654.tif 000003
【図２】
2009114654.tif 000004
【図３】
2009114654.tif 000005